(57)【要約】      （修正有）【課題】構造の簡素化及び軽量化を図ると共に、必要時に早期に遮へい機能を確保することができる原子力設備の遮へい装置を提供する。【解決手段】原子炉格納容器の外周側に外周遮へい壁１０２を設置し、原子炉格納容器の上方を遮へい可能に外周遮へい壁１０２の上部に配置される上部遮へい装置１０３であって、原子炉格納容器の上方を開放する格納位置と原子炉格納容器の上方を遮へいする遮へい位置とに移動可能な遮へい部材１１１と、この遮へい部材１１１の内部に水（放射線遮へい流体）を供給可能な給水装置１１２とを設ける。【選択図】図３
2015010953.tif 000002
【特許請求の範囲】
【請求項１】
原子炉設備の外周側に外周遮へい壁が設置され、前記原子炉設備の上方を遮へい可能に前記外周遮へい壁の上部に配置される遮へい装置であって、
前記原子炉設備の上方を開放する格納位置と前記原子炉設備の上方を遮へいする遮へい位置とに移動可能な遮へい部材と、
前記遮へい部材の内部に放射線遮へい流体を供給可能な放射線遮へい流体供給装置と、
を有し、
前記遮へい部材は、袋形状をなし、前記格納位置で折畳まれ、内部に前記放射線遮へい流体が充填されて前記遮へい位置に移動することを特徴とする原子力設備の遮へい装置。
【請求項２】
前記遮へい部材は、前記外周遮へい壁の上部における第１水平方向に沿って複数並設されることを特徴とする請求項１に記載の原子力設備の遮へい装置。
【請求項３】
前記遮へい部材は、前記第１水平方向に交差する第２水平方向に沿って複数並設されることを特徴とする請求項２に記載の原子力設備の遮へい装置。
【請求項４】
前記遮へい部材は、前記格納位置で前記第１水平方向に交差する第２水平方向の端部または中間部に配置されることを特徴とする請求項２または請求項３に記載の原子力設備の遮へい装置。
【請求項５】
前記遮へい部材は、水平方向に所定間隔をあけて配置されることを特徴とする請求項１に記載の原子力設備の遮へい装置。
【請求項６】
前記遮へい部材は、隣接するもの同士が鉛直方向にずれて配置されることを特徴とする請求項５に記載の原子力設備の遮へい装置。
【請求項７】
前記遮へい部材は、起倒可能に支持されることを特徴とする請求項１から請求項６のいずれか一つに記載の原子力設備の遮へい装置。
【請求項８】
前記遮へい部材は、内部への前記放射線遮へい流体の供給により前記格納位置から前記遮へい位置に移動可能であることを特徴とする請求項７に記載の原子力設備の遮へい装置。
【請求項９】
前記遮へい部材は、巻取り状形状または蛇腹形状で前記格納位置に配置されることを特徴とする請求項１から請求項８のいずれか一つに記載の原子力設備の遮へい装置。
【請求項１０】
原子炉設備の外周側に外周遮へい壁が設置され、前記原子炉設備の上方を遮へい可能に前記外周遮へい壁の上部に配置される遮へい装置であって、
前記原子炉設備の上方を開放する格納位置と前記原子炉設備の上方を遮へいする遮へい位置とに移動可能な遮へい部材と、
前記遮へい部材の内部に放射線遮へい流体を供給可能な放射線遮へい流体供給装置と、
を有し、
前記遮へい部材は、桶形状をなし、起倒することで前記格納位置と前記遮へい位置とを移動可能であり、転倒状態で内部に前記放射線遮へい流体を充填可能であることを特徴とする原子力設備の遮へい装置。
【請求項１１】
前記遮へい部材は、前記放射線遮へい流体の供給圧により前記格納位置から前記遮へい位置に移動可能であることを特徴とする請求項１０に記載の原子力設備の遮へい装置。
【請求項１２】
前記遮へい部材は、底部に対して外周部が折畳み可能であり、内部に前記放射線遮へい流体を供給することで前記外周部が起立可能であることを特徴とする請求項１０または請求項１１に記載の原子力設備の遮へい装置。
【請求項１３】
前記外周遮へい壁の上部に前記遮へい位置にある前記遮へい部材を支持可能な支持部材が設けられることを特徴とする請求項１から請求項１２のいずれか一つに記載の原子力設備の遮へい装置。
【請求項１４】
前記支持部材は、複数の開口を有することを特徴とする請求項１３に記載の原子力設備の遮へい装置。
【請求項１５】
前記支持部材は、前記原子炉設備の上方を開放する格納位置と前記原子炉設備の上方を遮へいする遮へい位置とに移動可能であることを特徴とする請求項１３に記載の原子力設備の遮へい装置。
【請求項１６】
前記支持部材は、前記遮へい位置への前記遮へい部材の移動動作により前記格納位置から前記遮へい位置に移動することを特徴とする請求項１５に記載の原子力設備の遮へい装置。
【請求項１７】
前記支持部材は、前記原子炉設備の上方の領域を複数の区画領域に区画する格子形状の支持枠が設けられ、前記遮へい部材が前記区画領域にそれぞれ配置されることを特徴とする請求項１３または請求項１４に記載の原子力設備の遮へい装置。
【請求項１８】
前記遮へい部材の下方に配置されて前記原子炉設備の上方を開放する格納位置と前記原子炉設備の上方を遮へいする遮へい位置とに移動可能な遮熱部材が設けられることを特徴とする請求項１から請求項１７のいずれか一つに記載の原子力設備の遮へい装置。
【請求項１９】
前記遮へい部材は、水平方向に複数設けられ、複数の前記遮へい部材の間に換気通路が設けられることを特徴とする請求項１から請求項１８のいずれか一つに記載の原子力設備の遮へい装置。
【請求項２０】
放射線遮へい流体供給装置は、前記外周遮へい壁に外側に設置され、前記放射線遮へい流体としての水を前記遮へい部材に供給可能であることを特徴とする請求項１から請求項１９のいずれか一つに記載の原子力設備の遮へい装置。
【請求項２１】
前記遮へい部材内に供給された水を循環冷却する循環経路が設けられることを特徴とする請求項１から請求項２０のいずれか一つに記載の原子力設備の遮へい装置。
【請求項２２】
前記遮へい部材内に供給された水を排出する排水経路が設けられることを特徴とする請求項１から請求項２１のいずれか一つに記載の原子力設備の遮へい装置。
【発明の詳細な説明】
【技術分野】
【０００１】
本発明は、原子炉格納容器の外側を遮へいする外部遮へい壁の上方を遮へいする原子力設備の遮へい装置に関するものである。
【背景技術】
【０００２】
原子力発電プラントの一つとして、加圧水型原子炉があり、この加圧水型原子炉では、軽水を原子炉冷却材及び中性子減速材として使用し、一次系全体にわたって沸騰しない高温高圧水とし、この高温高圧水を蒸気発生器に送って熱交換により蒸気を発生させ、この蒸気をタービン発電機へ送って発電している。
【０００３】
このような加圧水型原子炉を有する原子力発電プラント（原子力設備）では、地盤に原子炉格納容器が立設されており、その外側に外部遮へい壁が設けられている。この外部遮へい壁は、原子炉格納容器の外周部を被覆するもの（セミダブル型）と、原子炉格納容器の外周部に加えてトップドームにより頂部も被覆するもの（ダブル型）がある。しかし、セミダブル型の遮へい装置は、シビアアクシデント時に、スカイシャインによって高まると予想される屋外線量を適切に低下させる必要がある。
【０００４】
このような原子力発電設備の遮へい装置としては、例えば、下記特許文献１に記載されたものがある。
【先行技術文献】
【特許文献】
【０００５】
【特許文献１】特開平１０−０２００６８号公報
【発明の概要】
【発明が解決しようとする課題】
【０００６】
上述したように、原子力設備の遮へい装置としては、セミダブル型とダブル型があるが、セミダブル型の遮へい装置は、シビアアクシデント時に、スカイシャインによって高まると予想される屋外線量を適切に低下させる必要がある。適切な遮へい機能を確保するためには、１０００トン以上の遮へい体を外周遮へい壁の上部に設置する必要があり、大掛かりな工事が必要となる。また、放射線の遮へい機能は、原子炉設備の通常運転時には不要となり、シビアアクシデント時に必要であり、シビアアクシデント時に素早く遮へい機能を確保するようなものが望ましい。
【０００７】
本発明は上述した課題を解決するものであり、構造の簡素化及び軽量化を図ると共に必要時に早期に遮へい機能を確保することができる原子力設備の遮へい装置を提供することを目的とする。
【課題を解決するための手段】
【０００８】
上記の目的を達成するための本発明の原子力設備の遮へい装置は、原子炉設備の外周側に外周遮へい壁が設置され、前記原子炉設備の上方を遮へい可能に前記外周遮へい壁の上部に配置される遮へい装置であって、前記原子炉設備の上方を開放する格納位置と前記原子炉設備の上方を遮へいする遮へい位置とに移動可能な遮へい部材と、前記遮へい部材の内部に放射線遮へい流体を供給可能な放射線遮へい流体供給装置と、を有し、前記遮へい部材は、袋形状をなし、前記格納位置で折畳まれ、内部に前記放射線遮へい流体が充填されて前記遮へい位置に移動することを特徴としている。
【０００９】
従って、遮へい部材は、不使用時に、原子炉設備の上方を開放する格納位置にあり、使用時に、原子炉設備の上方を遮へいする遮へい位置に移動し、放射線遮へい流体供給装置により内部に放射線遮へい流体が供給されることとなる。その結果、構造の簡素化及び軽量化を図ることができると共に、必要時に早期に遮へい機能を確保することができる。また、袋形状をなす遮へい部材を折畳んで格納位置とし、内部に放射線遮へい流体を充填することで遮へい位置に移動することとなり、必要時に早期に遮へい機能を確保することができる。
【００１０】
本発明の原子力設備の遮へい装置では、前記遮へい部材は、前記外周遮へい壁の上部における第１水平方向に沿って複数並設されることを特徴としている。
【００１１】
従って、遮へい部材を複数に分割することで、必要時に個別に遮へい部材を遮へい位置に移動することができ、遮へい機能を早期に確保することができる。
【００１２】
本発明の原子力設備の遮へい装置では、前記遮へい部材は、前記第１水平方向に交差する第２水平方向に沿って複数並設されることを特徴としている。
【００１３】
従って、遮へい部材を複数に分割することで、遮へい部材の小型化を可能とすることができると共に、必要時に個別に遮へい部材を遮へい位置に移動することができ、遮へい機能を早期に確保することができる。
【００１４】
本発明の原子力設備の遮へい装置では、前記遮へい部材は、前記格納位置で前記第１水平方向に交差する第２水平方向の端部または中間部に配置されることを特徴としている。
【００１５】
従って、不使用時に、遮へい部材を水平方向の端部または中間部に配置することで、外周遮へい壁の上方に十分な開口を確保することができる。
【００１６】
本発明の原子力設備の遮へい装置では、前記遮へい部材は、水平方向に所定間隔をあけて配置されることを特徴としている。
【００１７】
従って、遮へい部材を複数に分割することで、必要時に個別に遮へい部材を遮へい位置に移動することができ、遮へい機能を早期に確保することができる。
【００１８】
本発明の原子力設備の遮へい装置では、前記遮へい部材は、隣接するもの同士が鉛直方向にずれて配置されることを特徴としている。
【００１９】
従って、隣接する遮へい部材同士を鉛直方向にずらして配置することで、直進する放射線を適正に遮へいすることができると共に、遮へい部材同士の間に隙間を確保して換気機能を確保することができる。
【００２０】
本発明の原子力設備の遮へい装置では、前記遮へい部材は、起倒可能に支持されることを特徴としている。
【００２１】
従って、遮へい部材を起倒可能に支持し、格納位置で起立させ、遮へい位置で転倒させることで、簡単な構成で、早期に遮へい機能を確保することができる。
【００２２】
本発明の原子力設備の遮へい装置では、前記遮へい部材は、内部への前記放射線遮へい流体の供給により前記格納位置から前記遮へい位置に移動可能であることを特徴としている。
【００２３】
従って、遮へい部材の内部へ放射線遮へい流体を供給することで、遮へい部材を格納位置から遮へい位置に移動することができ、遮へい部材を移動させるための機構を不要として構造の簡素化を可能とすることができる。
【００２４】
本発明の原子力設備の遮へい装置では、前記遮へい部材は、巻取り状形状または蛇腹形状で前記格納位置に配置されることを特徴としている。
【００２５】
従って、遮へい部材を巻取り状形状または蛇腹形状として格納位置に配置することで、遮へい部材の小型化を可能とする一方で、遮へい部材を容易に遮へい位置に移動することができる。
【００２６】
また、本発明の原子力設備の遮へい装置は、原子炉設備の外周側に外周遮へい壁が設置され、前記原子炉設備の上方を遮へい可能に前記外周遮へい壁の上部に配置される遮へい装置であって、前記原子炉設備の上方を開放する格納位置と前記原子炉設備の上方を遮へいする遮へい位置とに移動可能な遮へい部材と、前記遮へい部材の内部に放射線遮へい流体を供給可能な放射線遮へい流体供給装置と、を有し、前記遮へい部材は、桶形状をなし、起倒することで前記格納位置と前記遮へい位置とを移動可能であり、転倒状態で内部に前記放射線遮へい流体を充填可能であることを特徴とするものである。
【００２７】
従って、遮へい部材は、不使用時に、原子炉設備の上方を開放する格納位置にあり、使用時に、原子炉設備の上方を遮へいする遮へい位置に移動し、放射線遮へい流体供給装置により内部に放射線遮へい流体が供給されることとなる。その結果、構造の簡素化及び軽量化を図ることができると共に、必要時に早期に遮へい機能を確保することができる。また、桶形状をなす遮へい部材を起立させて格納位置とし、転倒させて遮へい位置に移動して内部に放射線遮へい流体を充填することとなり、必要時に早期に遮へい機能を確保することができる。
【００２８】
本発明の原子力設備の遮へい装置では、前記遮へい部材は、前記放射線遮へい流体の供給圧により前記格納位置から前記遮へい位置に移動可能であることを特徴としている。
【００２９】
従って、放射線遮へい流体の供給圧により遮へい部材を格納位置から遮へい位置に移動することで、遮へい部材を移動させるための機構を不要として構造の簡素化を可能とすることができる。
【００３０】
本発明の原子力設備の遮へい装置では、前記遮へい部材は、底部に対して外周部が折畳み可能であり、内部に前記放射線遮へい流体を供給することで前記外周部が起立可能であることを特徴としている。
【００３１】
従って、遮へい部材を折畳み可能とすることで、格納位置での遮へい部材の小型化を可能とすることができ、内部に放射線遮へい流体を供給することで展開することができ、早期に遮へい機能を確保することができる。
【００３２】
本発明の原子力設備の遮へい装置では、前記外周遮へい壁の上部に前記遮へい位置にある前記遮へい部材を支持可能な支持部材が設けられることを特徴としている。
【００３３】
従って、遮へい位置にある遮へい部材を支持部材により支持することで、遮へい部材により外周遮へい壁の上方を適正に遮へいすることができる。
【００３４】
本発明の原子力設備の遮へい装置では、前記支持部材は、複数の開口を有することを特徴としている。
【００３５】
従って、支持部材に複数の開口を設けることで、遮へい部材の位置にかかわらず、支持部材を常時外周遮へい壁の上部に配置することができ、支持部材の簡素化を可能とすることができる。
【００３６】
本発明の原子力設備の遮へい装置では、前記支持部材は、前記原子炉設備の上方を開放する格納位置と前記原子炉設備の上方を遮へいする遮へい位置とに移動可能であることを特徴としている。
【００３７】
従って、支持部材を格納位置と遮へい位置とに移動可能とすることで、支持部材の格納位置では、外周遮へい壁の上方に十分な開口を確保することができ、支持部材の遮へい位置では、遮へい部材を適正に支持して外周遮へい壁の上方を適正に遮へいすることができる。
【００３８】
本発明の原子力設備の遮へい装置では、前記支持部材は、前記遮へい位置への前記遮へい部材の移動動作により前記格納位置から前記遮へい位置に移動することを特徴としている。
【００３９】
従って、遮へい部材を遮へい位置に移動すると、この移動動作により支持部材が格納位置から遮へい位置に移動することとなり、支持部材の移動機構を不要として構造の簡素化を可能とすることができる。
【００４０】
本発明の原子力設備の遮へい装置では、前記支持部材は、前記原子炉設備の上方の領域を複数の区画領域に区画する格子形状の支持枠が設けられ、前記遮へい部材が前記区画領域にそれぞれ配置されることを特徴としている。
【００４１】
従って、支持部材の支持枠により原子炉設備の上方の領域を複数の区画領域に区画し、遮へい部材を各区画領域に配置することで、遮へい部材を容易に配置することができる。
【００４２】
本発明の原子力設備の遮へい装置では、前記遮へい部材の下方に配置されて前記原子炉設備の上方を開放する格納位置と前記原子炉設備の上方を遮へいする遮へい位置とに移動可能な遮熱部材が設けられることを特徴としている。
【００４３】
従って、遮へい部材の下方に遮熱部材を配置することで、原子力設備からの放熱を遮熱部材により遮断することで、遮へい部材の高温化を抑制して耐久性を向上することができる。
【００４４】
本発明の原子力設備の遮へい装置では、前記遮へい部材は、水平方向に複数設けられ、複数の前記遮へい部材の間に換気通路が設けられることを特徴としている。
【００４５】
従って、遮へい部材の間に換気通路を設けることで、遮へい部材により遮へいされた空間部内の高温化を抑制し、遮へい部材の高温化を抑制して耐久性を向上することができる。
【００４６】
本発明の原子力設備の遮へい装置では、放射線遮へい流体供給装置は、前記外周遮へい壁に外側に設置され、前記放射線遮へい流体としての水を前記遮へい部材に供給可能であることを特徴としている。
【００４７】
従って、放射線遮へい流体供給装置を外周遮へい壁に外側に設置することで、原子力設備の状況にかかわらず、遮へい部材に放射線遮へい流体を供給することができ、安全性を向上することができる。
【００４８】
本発明の原子力設備の遮へい装置では、前記遮へい部材内に供給された水を循環冷却する循環経路が設けられることを特徴としている。
【００４９】
従って、遮へい部材内に供給された水を循環経路により循環して冷却することで、遮へい部材の高温化を抑制して耐久性を向上することができる。
【００５０】
本発明の原子力設備の遮へい装置では、前記遮へい部材内に供給された水を排出する排水経路が設けられることを特徴としている。
【００５１】
従って、遮へい部材内に水を供給しながら、内部の水を排水経路により排水することで、遮へい部材に常時冷水を供給して高温化を抑制して耐久性を向上することができる。
【発明の効果】
【００５２】
本発明の原子力設備の遮へい装置によれば、原子炉設備の上方を開放する格納位置と原子炉設備の上方を遮へいする遮へい位置とに移動可能な遮へい部材と、遮へい部材の内部に放射線遮へい流体を供給可能な放射線遮へい流体供給装置とを設け、遮へい部材を袋形状または桶形状とするので、構造の簡素化及び軽量化を図ることができると共に、必要時に早期に遮へい機能を確保することができる。
【図面の簡単な説明】
【００５３】
【図１】図１は、実施例１の原子力設備の遮へい装置が適用される原子力発電プラントを表す概略構成図である。
【図２】図２は、実施例１の原子力設備を表す概略図である。
【図３】図３は、実施例１の原子力設備の遮へい装置を表す概略平面図である。
【図４】図４は、実施例１の原子力設備の遮へい装置を表す概略縦断面図である。
【図５】図５は、実施例１の変形例の原子力設備の遮へい装置を表す概略縦断面図である。
【図６】図６は、実施例２の原子力設備の遮へい装置を表す概略平面図である。
【図７】図７は、実施例２の原子力設備の遮へい装置を表す概略縦断面図である。
【図８】図８は、遮へいユニットの格納状態を表す斜視図である。
【図９】図９は、遮へいユニットによる遮へい状態を表す斜視図である。
【図１０】図１０は、実施例３の原子力設備の遮へい装置を表す概略平面図である。
【図１１】図１１は、遮へいユニットの格納状態を表す斜視図である。
【図１２】図１２は、遮へいユニットによる遮へい状態を表す斜視図である。
【図１３】図１３は、実施例４の原子力設備の遮へい装置を表す概略正面図である。
【図１４】図１４は、遮へい装置における換気装置を表す概略図である。
【図１５】図１５は、実施例４の変形例の原子力設備の遮へい装置を表す概略正面図である。
【図１６】図１６は、実施例４の変形例の原子力設備の遮へい装置を表す概略平面図である。
【図１７】図１７は、実施例４の変形例の原子力設備の遮へい装置を表す概略平面図である。
【図１８】図１８は、実施例４の変形例の原子力設備の遮へい装置を表す概略平面図である。
【図１９】図１９は、実施例５の原子力設備の遮へい装置を表す概略平面図である。
【図２０】図２０は、実施例５の変形例の原子力設備の遮へい装置を表す概略平面図である。
【図２１】図２１は、実施例６の原子力設備の遮へい装置を表す概略斜視図である。
【図２２】図２２は、実施例６の遮へい装置を表す概略平面図である。
【図２３】図２３は、実施例７の原子力設備の遮へい装置を表す概略平面図である。
【図２４】図２４は、実施例７の原子力設備の遮へい装置を表す概略正面図である。
【図２５】図２５は、遮へい部材の起立状態を表す正面図である。
【図２６】図２６は、遮へい部材の転倒状態を表す正面図である。
【図２７】図２７は、遮へい部材の遮へい状態を表す正面図である。
【図２８】図２８は、実施例８の原子力設備の遮へい装置を表す概略平面図である。
【図２９】図２９は、実施例８の原子力設備の遮へい装置を表す概略正面図である。
【図３０】図３０は、遮へい部材の起立状態を表す正面図である。
【図３１】図３１は、遮へい部材の転倒状態を表す正面図である。
【図３２】図３２は、遮へい部材の起立状態を表す斜視図である。
【図３３】図３３は、遮へい部材の転倒状態を表す斜視図である。
【図３４】図３４は、実施例８の変形例の遮へい部材を表す斜視図である。
【図３５】図３５は、遮へい部材の転倒状態を表す概略図である。
【図３６】図３６は、遮へい部材の側壁の起立途中状態を表す概略図である。
【図３７】図３７は、遮へい部材の遮へい状態を表す概略図である。
【発明を実施するための形態】
【００５４】
以下に添付図面を参照して、本発明に係る原子力設備の遮へい装置の好適な実施例を詳細に説明する。なお、この実施例により本発明が限定されるものではなく、また、実施例が複数ある場合には、各実施例を組み合わせて構成するものも含むものである。
【実施例１】
【００５５】
図１は、実施例１の原子力設備の遮へい装置が適用される原子力発電プラントを表す概略構成図、図２は、実施例１の原子力設備を表す概略図である。
【００５６】
実施例１の原子炉は、軽水を原子炉冷却材及び中性子減速材として使用し、炉心全体にわたって沸騰しない高温高圧水とし、この高温高圧水を蒸気発生器に送って熱交換により蒸気を発生させ、この蒸気をタービン発電機へ送って発電する加圧水型原子炉（ＰＷＲ：Pressurized Water Reactor）である。
【００５７】
実施例１の加圧水型原子炉を有する原子力発電プラントにおいて、図１に示すように、原子炉格納容器１１は、内部に加圧水型原子炉１２及び蒸気発生器１３が格納されており、この加圧水型原子炉１２と蒸気発生器１３とは高温側送給配管１４と低温側送給配管１５を介して連結されており、高温側送給配管１４に加圧器１６が設けられ、低温側送給配管１５に一次冷却水ポンプ１７が設けられている。この場合、減速材及び一次冷却水（冷却材）として軽水を用い、炉心部における一次冷却水の沸騰を抑制するために、一次冷却系統は加圧器１６により１５０〜１６０気圧程度の高圧状態を維持するように制御している。
【００５８】
従って、加圧水型原子炉１２にて、燃料（原子燃料）として低濃縮ウランまたはＭＯＸにより一次冷却水として軽水が加熱され、高温の一次冷却水が加圧器１６により所定の高圧に維持された状態で、高温側送給配管１４を通して蒸気発生器１３に送られる。この蒸気発生器１３では、高温高圧の一次冷却水と二次冷却水との間で熱交換が行われ、冷やされた一次冷却水は低温側送給配管１５を通して加圧水型原子炉１２に戻される。
【００５９】
蒸気発生器１３は、加熱された二次冷却水、つまり、蒸気を送給する配管３１を介して蒸気タービン３２と連結されており、この配管３１に主蒸気隔離弁３３が設けられている。蒸気タービン３２は、高圧タービン３４と低圧タービン３５を有すると共に、発電機（発電装置）３６が接続されている。また、高圧タービン３４と低圧タービン３５は、その間に湿分分離加熱器３７が設けられており、配管３１から分岐した冷却水分岐配管３８が湿分分離加熱器３７に連結される一方、高圧タービン３４と湿分分離加熱器３７は低温再熱管３９により連結され、湿分分離加熱器３７と低圧タービン３５は高温再熱管４０により連結されている。
【００６０】
更に、蒸気タービン３２の低圧タービン３５は、復水器４１を有しており、この復水器４１は、配管３１からバイパス弁４２を有するタービンバイパス配管４３が接続されると共に、冷却水（例えば、海水）を給排する取水管４４及び排水管４５が連結されている。この取水管４４は、循環水ポンプ４６を有し、排水管４５と共に他端部が海中に配置されている。
【００６１】
そして、この復水器４１は、配管４７が接続されており、復水ポンプ４８、グランドコンデンサ４９、復水脱塩装置５０、復水ブースタポンプ５１、低圧給水加熱器５２が接続されている。また、配管４７は、脱気器５３が連結されると共に、主給水ポンプ５４、高圧給水加熱器５５、主給水制御弁５６が設けられている。
【００６２】
従って、蒸気発生器１３にて、高温高圧の一次冷却水と熱交換を行って生成された蒸気は、配管３１を通して蒸気タービン３２（高圧タービン３４から低圧タービン３５）に送られ、この蒸気により蒸気タービン３２を駆動して発電機３６により発電を行う。このとき、蒸気発生器１３からの蒸気は、高圧タービン３４を駆動した後、湿分分離加熱器３７で蒸気に含まれる湿分が除去されると共に加熱されてから低圧タービン３５を駆動する。そして、蒸気タービン３２を駆動した蒸気は、復水器４１で海水を用いて冷却されて復水となり、グランドコンデンサ４９、復水脱塩装置５０、低圧給水加熱器５２、脱気器５３、高圧給水加熱器５５などを通して蒸気発生器１３に戻される。
【００６３】
このように構成された原子炉格納容器１１は、図２に示すように、岩盤等の堅固な地盤に立設されている。そして、この原子炉格納容器１１は、岩盤等の堅固な地盤上に外部と圧力境界を形成する鋼板ライナを介して立設され、鉄筋コンクリートなどにより内部に複数のコンパートメントが区画されている。原子炉格納容器１１は、中央部にコンクリート構造物６１が形成されており、このコンクリート構造物６１により加圧水型原子炉１２が垂下して支持されている。そして、加圧水型原子炉１２の周辺に蒸気発生器１３、（加圧器１６）、一次冷却水ポンプ１７などが収容され、各送給配管１４，１５により連結されている。また、原子炉格納容器１１は、加圧水型原子炉１２などの上方にポーラクレーン６２が架設されている。
【００６４】
実施例１の原子炉設備の遮へい装置１０１は、原子炉格納容器１１の外周側に設置される外周遮へい壁１０２と、原子炉格納容器１１の上方を遮へい可能に外周遮へい壁１０２の上部に配置される上部遮へい装置１０３とから構成されている。外周遮へい壁１０２は、円筒形状をなし、鉄筋コンクリート製であり、原子炉格納容器１１の外側に配置されることで、原子炉格納容器１１から外部への放射線の漏洩を防止することができる。上部遮へい装置１０３は、外周遮へい壁１０２の上部に配置され、放射線遮へい流体が充填された遮へい部材により原子炉格納容器１１の上側を遮へいすることで、原子炉格納容器１１から上部への放射線の漏洩を防止することができる。
【００６５】
上部遮へい装置１０３は、原子炉格納容器１１の上方を開放する格納位置と原子炉格納容器１１の上方を遮へいする遮へい位置とに移動可能な遮へい部材１１１と、この遮へい部材１１１の内部に放射線遮へい流体としての水を供給可能な給水装置（放射線遮へい流体供給装置）１１２とを有している。
【００６６】
図３は、実施例１の原子力設備の遮へい装置を表す概略平面図、図４は、実施例１の原子力設備の遮へい装置を表す概略縦断面図である。
【００６７】
上部遮へい装置１０３において、図３及び図４に示すように、遮へい部材１１１は、袋形状をなす複数の遮へい袋１２１から構成されている。外周遮へい壁１０２は、上端部における第２水平方向Ｙにおける一端部側（図３及び図４にて、左側）に設置台１２２が固定されている。この設置台１２２は、外周遮へい壁１０２の上端部の形状に沿った湾曲形状をなし、下面が外周遮へい壁１０２の上端部に固定され、上面部に複数の遮へい袋１２１が第１水平方向Ｘに沿ってほぼ隙間なく並設されている。具体的に、複数の遮へい袋１２１は、外周遮へい壁１０２の上端部の形状に沿って湾曲をなして並設されている。なお、第１水平方向Ｘと第２水平方向Ｙとは、交差（直交）している。
【００６８】
この各遮へい袋１２１は、例えば、平織や円形織機された筒状の織物の内側に耐水性のゴム材を張り付ける一方、外側に耐摩耗性の樹脂コーティングを施したものであり、伸縮性を有している。そして、遮へい袋１２１は、格納位置（図３及び図４にて、実線で表す位置）で折畳まれている。この場合、遮へい袋１２１は、先端部が中心部で基端部が外周部に位置するように縦巻きに巻き取られたロール形状をなして格納されている。なお、格納位置にある遮へい部材１１１（遮へい袋１２１）を風雨などから保持するようにハウジングにより被覆することが望ましい。
【００６９】
なお、実施例１では、遮へい袋１２１を格納位置で第２水平方向Ｙの一端部側に配置したが、この位置に限定されるものではなく、例えば、第２水平方向Ｙの他端部側（図３及び図４にて、右側）、または、第２水平方向Ｙの中間部に配置してもよい。また、遮へい袋１２１をロール形状として格納したが、この形状に限るものではなく、例えば、蛇腹形状として格納してもよい。更に、遮へい袋１２１の下側または外側に耐熱性の樹脂コーティングを施すとよい。
【００７０】
各遮へい袋１２１は、基端部に給水管１２３の一端部が連結されている。各給水管１２３は、他端部が集合して集合給水管１２４の一端部に連結され、この集合給水管１２４は、他端部が給水タンク１２５に連結されている。そして、集合給水管１２４は、給水ポンプ１２６と開閉弁１２７が設けられている。この場合、給水管１２３と集合給水管１２４と給水タンク１２５と給水ポンプ１２６と開閉弁１２７により給水装置１１２が構成され、外周遮へい壁１０２に外側に設置されている。なお、給水タンク１２５は、水源であればよい。
【００７１】
そのため、開閉弁１２７を開放して給水ポンプ１２６を作動すると、給水タンク１２５に貯留されている水が集合給水管１２４から各給水管１２３を通して各遮へい袋１２１に送られる。各遮へい袋１２１は、ロール形状となって格納位置に配置されており、内部に水が充填されることで、膨張しながら回転して先端部が第２水平方向Ｙの他端部側に移動し、遮へい位置（図３及び図４にて、二点鎖線で表す位置）に移動することができる。
【００７２】
複数の遮へい袋１２１は、遮へい位置に移動すると、外周遮へい壁１０２の上方を隙間なく遮へいすることができる。即ち、各遮へい袋１２１は、内部に水が充填されることで膨張すると共に伸張することで、隣接するもの同士が隙間なく密着する。また、各遮へい袋１２１は、外周遮へい壁１０２外径に応じてその配置位置により長さが相違しており、第１水平方向Ｘのおける中間部が最も長く、端部側が最も短くなっている。
【００７３】
また、上部遮へい装置１０３は、外周遮へい壁１０２の上部に配置されて遮へい位置にある遮へい部材１１１を支持可能な支持部材１３１を有しており、この支持部材１３１は、複数の開口を有している。即ち、遮へい部材１１１は、外周遮へい壁１０２の上端部に配置され、支持部材１３１は、遮へい部材１１１の所定距離だけ下方に配置されている。外周遮へい壁１０２は、上端部の内周面に内側へ突出する段付部１０２ａが形成されている。支持部材１３１は、リング形状をなす枠体１３２と、この枠体１３２内に格子形状に組み合わされた縦梁１３３及び横梁１３４とから構成されている。そして、支持部材１３１は、枠体１３２が外周遮へい壁１０２の段付部１０２ａに載置されて固定されている。
【００７４】
そのため、支持部材１３１は、複数の縦梁１３３と複数の横梁１３４が格子形状に組み合わされていることから、各縦梁１３３と各横梁１３４との間に複数の開口が形成されることとなる。そして、遮へい部材１１１を構成する各遮へい袋１２１が遮へい位置に移動したとき、支持部材１３１は、この各遮へい袋１２１の下面を支持することで、遮へい部材１１１の落下を防止し、この遮へい部材１１１により外周遮へい壁１０２の上方を適正に遮へいさせることができる。
【００７５】
なお、実施例１では、支持部材１３１をリング形状をなす枠体１３２の内側に複数の縦梁１３３と横梁１３４を格子形状に組み合わせて構成したが、この構成に限定されるものではない。例えば、メッシュ形状をなす金網を用いたり、多孔板形状をなすパンチングメタルなどを用いたりしてもよい。
【００７６】
また、各遮へい袋１２１は、この遮へい部材１２１内に供給された水を循環冷却する循環配管（循環経路）１４１が設けられ、循環配管１４１に開閉弁１４２が設けられている。この循環配管１４１は、基端部が分岐して各遮へい袋１２１の先端部に連結され、先端部が集合給水管１２４における給水ポンプ１２６と給水タンク１２５の間に連結されている。そのため、各遮へい袋１２１に水を充填させてほぼ満水状態になったとき、開閉弁１４２を開放することで、遮へい袋１２１内の水を循環配管１４１により集合給水管１２４に戻して再び各遮へい袋１２１に循環することができる。このとき、循環配管１４１が外部に露出していることで、循環する水を冷却することができる。この場合、循環配管１４１に熱交換器を設けることで、循環する水を強制冷却してもよい。
【００７７】
なお、循環配管１４１に代えて、各遮へい袋１２１内に供給された水を外部に排出する排水配管（排出経路）１４３を設けてもよい。供給する水の貯留量が十分であるとき、水を循環せずに排出してもよい。
【００７８】
ここで、実施例１の原子炉設備の遮へい装置１０１に作動について説明する。
【００７９】
図１及び図２に示すように、津波や地震などにより加圧水型原子炉１２や蒸気発生器１３を作動する全ての電源装置が喪失したとき、緊急炉心冷却装置が作動し、加圧水型原子炉１２を含む原子炉冷却設備内に冷却水が供給されて炉心を冷却、発生する熱を十分に除去する。しかし、この緊急炉心冷却装置が故障すると、炉心を冷却することができず、シビアアクシデントとなる。このとき、原子炉格納容器１１の外部に放射線が漏洩するおそれがあることから、この放射線を遮へいする必要がある。
【００８０】
このとき、非常電源設備を用いて遮へい装置１０１における上部遮へい装置１０３を作動する。即ち、図３及び図４に示すように、開閉弁１２７を開放して給水ポンプ１２６を作動し、集合給水管１２４及び各給水管１２３から遮へい部材１１１を構成する複数の遮へい袋１２１に給水する。すると、各遮へい袋１２１は、内部に水が充填されることで、膨張しながら回転して遮へい位置に移動する。このとき、遮へい位置に移動した各遮へい袋１２１は、支持部材１３１により支持されることで、外周遮へい壁１０２の上方を適正に遮へいすることができる。その結果、上部遮へい装置１０３は、外周遮へい壁１０２の上方の一面に水を保持することができることから、原子炉格納容器１１からの放射線を減衰し、外部漏洩を防止できる。
【００８１】
図５は、実施例１の変形例の原子力設備の遮へい装置を表す概略縦断面図である。図５に示すように、上部遮へい装置１０３にて、遮へい部材１１１（遮へい袋１２１）の下方に配置されて原子炉格納容器１１の上方を開放する格納位置と原子炉格納容器１１の上方を遮へいする遮へい位置とに移動可能な遮熱部材１５１が設けられている。
【００８２】
この遮熱部材１５１は、遮へい部材１１１と同様に、袋形状をなす複数の遮熱袋１５２から構成されている。この遮熱袋１５２は、例えば、平織や円形織機された筒状の織物の内側に耐水性のゴム材を張り付ける一方、外側に耐熱性の樹脂コーティングを施したものであり、伸縮性を有している。外周遮へい壁１０２は、上端部に湾曲した設置台１５３が固定され、上面部に複数の遮熱袋１５２が第１水平方向Ｘに沿ってほぼ隙間なく並設されている。そして、遮熱袋１５２は、格納位置（図５にて、実線で表す位置）で縦巻きに巻き取られたロール形状をなして格納されている。
【００８３】
各遮熱袋１５２は、基端部に供給管１５４を介して集合供給管１５５が連結され、この集合供給管１５５はエアタンク１５６に連結されている。そして、集合供給管１５５は、供給ポンプ１５７と開閉弁１５８が設けられている。この場合、集合供給管１５５の端部が開放されていてもよく、また、エアタンク１５６をコンプレッサとして供給ポンプ１５７をなくしてもよい。
【００８４】
そのため、開閉弁１５８を開放して供給ポンプ１５７を作動すると、エアが集合供給管１５５から各供給管１５４を通して各遮熱袋１５２に送られる。各遮熱袋１５２は、ロール形状となって格納位置に配置されており、内部にエアが充填されることで、膨張しながら回転して先端部が移動し、遮熱位置（図５にて、二点鎖線で表す位置）に移動することができる。
【００８５】
複数の遮熱袋１５２は、遮熱位置に移動すると、外周遮へい壁１０２の上方を隙間なく遮へいすることができる。即ち、各遮熱袋１５２は、内部にエアが充填されることで膨張すると共に伸張することで、隣接するもの同士が隙間なく密着する。また、各遮熱袋１５２は、外周遮へい壁１０２外径に応じてその配置位置により長さが相違している。
【００８６】
また、外周遮へい壁１０２の上部に配置されて遮熱位置にある遮熱部材１５１を支持可能な支持部材１６１が設けられており、この支持部材１６１は、複数の開口を有している。遮熱部材１５１は、外周遮へい壁１０２の上端部に配置され、支持部材１６１は、遮熱部材１５１の所定距離だけ下方に配置されており、外周遮へい壁１０２の段付部１０２ａに載置されて固定されている。そのため、遮熱部材１５１を構成する各遮熱袋１５２が遮熱位置に移動したとき、支持部材１６１は、この各遮熱袋１５２の下面を支持することで、遮熱部材１５１の落下を防止し、この遮熱部材１２１により外周遮へい壁１０２の上方を適正に遮熱させることができる。
【００８７】
外周遮へい壁１０２は、上部に支持筒１７１が連結されており、この支持筒１７１の上部に上述した遮へい部材１１１が配置されると共に、段付部１７１ａに支持部材１３１が支持されている。
【００８８】
シビアアクシデントにより原子炉格納容器１１の外部に放射線が漏洩するおそれがあるとき、非常電源設備を用いて遮へい装置１０１における上部遮へい装置１０３を作動する。このとき、遮へい部材１１１を構成する複数の遮へい袋１２１に給水し、この各遮へい袋１２１に水を充填することで遮へい位置に移動し、外周遮へい壁１０２の上方を適正に遮へいする。また、遮へい部材１１１の作動と同時に、遮熱部材１５１を構成する複数の遮熱袋１５２にエアを供給し、この各遮熱袋１５２にエアを充填することで遮熱位置に移動し、外周遮へい壁１０２の上方を適正に遮熱する。その結果、遮へい部材１１１は、外周遮へい壁１０２の上方からの放射線の漏洩を防止でき、また、遮熱部材１５１は、外周遮へい壁１０２の上方からの放熱を防止でき、遮へい部材１１１を保護できる。
【００８９】
このように実施例１の原子力設備の遮へい装置にあっては、原子炉格納容器１１の外周側に外周遮へい壁１０２を設置し、原子炉格納容器１１の上方を遮へい可能に外周遮へい壁１０２の上部に配置される上部遮へい装置１０３であって、原子炉格納容器１１の上方を開放する格納位置と原子炉格納容器１１の上方を遮へいする遮へい位置とに移動可能な遮へい部材１１１と、この遮へい部材１１１の内部に水（放射線遮へい流体）を供給可能な給水装置１１２とを設けている。
【００９０】
従って、遮へい部材１１１は、不使用時に、原子炉格納容器１１の上方を開放する格納位置にあり、使用時に、原子炉格納容器１１の上方を遮へいする遮へい位置に移動し、給水装置１１２により内部に水が供給されることとなる。その結果、構造の簡素化及び軽量化を図ることができると共に、必要時に早期に遮へい機能を確保することができる。
【００９１】
実施例１の原子力設備の遮へい装置では、遮へい部材１１１を袋形状の遮へい袋１２１とし、格納位置で折畳まれ、内部に水が充填されて遮へい位置に移動する。従って、遮へい袋１２１により必要時に早期に遮へい機能を確保することができる。
【００９２】
実施例１の原子力設備の遮へい装置では、遮へい部材１１１を複数の遮へい袋１２１とし、外周遮へい壁１０２の上部における第１水平方向Ｘに沿って複数並設している。従って、遮へい部材１１１を複数の遮へい袋１２１に分割することで、必要時に個別に遮へい袋１２１を遮へい位置に移動することができ、遮へい機能を早期に確保することができる。
【００９３】
実施例１の原子力設備の遮へい装置では、遮へい部材１１１を複数の遮へい袋１２１とし、格納位置で第１水平方向Ｘに交差する第２水平方向Ｙの端部または中間部に配置している。従って、不使用時に、遮へい袋１２１を水平方向の端部または中間部に配置することで、外周遮へい壁１０２の上方に十分な開口を確保することができる。
【００９４】
実施例１の原子力設備の遮へい装置では、遮へい袋１２１は、縦巻取りしたロール形状または蛇腹形状で格納位置に配置している。従って、遮へい袋１２１の小型化を可能とする一方で、遮へい袋１２１を容易に遮へい位置に移動することができる。
【００９５】
実施例の１原子力設備の遮へい装置では、外周遮へい壁１０２の上部に遮へい位置にある遮へい部材１１１を支持可能な支持部材１３１を設けている。従って、遮へい位置にある遮へい部材１１１を支持部材１３１により支持することで、遮へい部材１１１により外周遮へい壁１０２の上方を適正に遮へいすることができる。
【００９６】
実施例１の原子力設備の遮へい装置では、支持部材１３１に複数の開口を設けている。従って、遮へい部材１１１（遮へい袋１２１）の位置にかかわらず、支持部材１３１を常時外周遮へい壁１０２の上部に配置することができ、支持部材１３１の簡素化を可能とすることができる。
【００９７】
実施例１の原子力設備の遮へい装置では、遮へい部材１１１の下方に原子炉格納容器１１の上方を開放する格納位置と上方を遮へいする遮へい位置とに移動可能な遮熱部材１５１を設けている。従って原子力格納容器１１からの放熱を遮熱部材１５１により遮断することができ、遮へい部材１１１の高温化を抑制して耐久性を向上することができる。
【００９８】
実施例１の原子力設備の遮へい装置では、給水装置１１２を外周遮へい壁１０２に外側に設置している。従って、原子力格納容器１１の状況にかかわらず、遮へい部材１１１に水を供給することができ、安全性を向上することができる。
【００９９】
実施例１の原子力設備の遮へい装置では、遮へい部材１１１内に供給された水を循環冷却する循環配管１４１を設けている。従って、遮へい部材１１１内に供給された水を循環配管１４１により循環して冷却することで、遮へい部材１１１の高温化を抑制して耐久性を向上することができる。
【０１００】
実施例１の原子力設備の遮へい装置では、遮へい部材１１１内に供給された水を排出する排水配管１４３を設けている。従って、遮へい部材１１１内に水を供給しながら、内部の水を排水配管１４３により排水することで、遮へい部材１１１に常時冷水を供給して高温化を抑制して耐久性を向上することができる。
【実施例２】
【０１０１】
図６は、実施例２の原子力設備の遮へい装置を表す概略平面図、図７は、実施例２の原子力設備の遮へい装置を表す概略縦断面図、図８は、遮へいユニットの格納状態を表す斜視図、図９は、遮へいユニットによる遮へい状態を表す斜視図である。なお、上述した実施例と同様の機能を有する部材には、同一の符号を付して詳細な説明は省略する。
【０１０２】
実施例２において、図６及び図７に示すように、原子炉設備の遮へい装置２０１は、原子炉格納容器の外周側に設置される外周遮へい壁１０２と、原子炉格納容器の上方を遮へい可能に外周遮へい壁１０２の上部に配置される上部遮へい装置２０３とから構成されている。上部遮へい装置２０３は、原子炉格納容器の上方を開放する格納位置と原子炉格納容器の上方を遮へいする遮へい位置とに移動可能な遮へい部材２１１と、この遮へい部材２１１の内部に放射線遮へい流体としての水を供給可能な給水装置１１２とを有している。
【０１０３】
上部遮へい装置２０３において、遮へい部材２１１は、箱型形状をなす複数の遮へいユニット２２１から構成されている。外周遮へい壁１０２は、上端部に設置台２２２が固定され、設置台２２２の上面部に複数の遮へいユニット２２１が第１水平方向Ｘに沿ってほぼ隙間なく並設されると共に、第１水平方向Ｘに交差する第２水平方向Ｙに沿って複数並設されている。
【０１０４】
設置台２２２は、外周遮へい壁１０２の上端部の形状に沿ったリング形状をなし、下面が外周遮へい壁１０２の上端部に固定されている。また、設置台２２２は、第１水平方向Ｘに沿って複数（本実施例では、４つ）の取付板２２３ａ，２２３ｂ，２２３ｃ，２２３ｄが形成されており、この取付板２２３ａは、第２水平方向Ｙにおける一端部側（図６及び図７にて、左側）に位置し、取付板２２３ｄは、第２水平方向Ｙにおける他端部側（図６及び図７にて、右側）に位置し、取付板２２３ｂ，２２３ｃは、取付板２２３ａ，２２３ｄの間に位置し、各取付板２２３ａ，２２３ｂ，２２３ｃ，２２３ｄは、ほぼ均等間隔に位置している。
【０１０５】
そして、各取付板２２３ａ，２２３ｂ，２２３ｃ，２２３ｄは、上面部に複数の遮へいユニット２２１が第１水平方向Ｘに沿ってほぼ隙間なく並設されている。具体的に、取付板２２３ａ，２２３ｄに、２つの遮へいユニット２２１が第１水平方向Ｘに沿って並設され、取付板２２３ｂ，２２３ｃは、６つの遮へいユニット２２１が第１水平方向Ｘに沿って並設されると共に、２列の遮へいユニット２２１が第２水平方向Ｙに並設されている。
【０１０６】
この各遮へいユニット２２１は、図８及び図９に示すように、ハウジング２３１と、遮へい袋２３２と、支持部材としての開閉蓋２３３と、遮熱部材としての遮熱板２３４とから構成されている。ハウジング２３１は、上面部２３１ａと左右側面部２３１ｂと裏面部２３１ｃと底面部２３１ｄと棚部２３１ｅとを有し、前方が開口している。この場合、底面部２３１ｄが遮熱部材として機能する。遮へい袋２３２は、実施例１で説明した遮へい袋１２１とほぼ同様の構成であり、先端部が中心部で基端部が外周部に位置するように縦巻きに巻き取られたロール形状をなしている。
【０１０７】
開閉蓋２３３は、ハウジング２３１の前方の開口に配置され、下端部が水平な支持軸２３５により回動自在に支持され、起立してハウジング２３１の開口を閉塞した位置と、前方に転倒してハウジング２３１の開口を開放した位置に移動自在となっている。遮熱板２３４は、ハウジング２３１の前方の開口で開閉蓋２３３より前方側に配置され、下端部が水平な支持軸２３６により回動自在に支持され、起立した位置と前方に転倒した位置に移動自在となっている。即ち、開閉蓋２３３と遮熱板２３４は、原子炉格納容器の上方を開放する格納位置と上方を遮へいする遮へい位置とに移動可能となっている。
【０１０８】
各遮へいユニット２２１内に収容された遮へい袋２３２は、図６に示すように、基端部に給水管１２３が連結され、各給水管１２３は、集合給水管１２４を介して給水タンク１２５に連結され、給水ポンプ１２６と開閉弁１２７が設けられている。
【０１０９】
遮へいユニット２２１は、図８の格納位置にあるとき、遮へい袋２３２が巻き取られた格納状態でハウジング２３１内に収容され、開閉蓋２３３と遮熱板２３４が起立位置にある。そして、遮へい袋２３２に水を送ると、遮へい袋１２１は、図９に示すように、内部に水が充填されることで、膨張しながら回転して先端部が前方に移動する。そのため、開閉蓋２３３と遮熱板２３４は、この遮へい袋２３２の移動動作により押し出され、それぞれ水平な遮へい位置に移動する。その後、遮へい袋２３２は、更に移動し、開閉蓋２３３上に水平となる遮へい位置に移動することができる。
【０１１０】
即ち、図６及び図７に示すように、複数の遮へいユニット２２１は、それぞれ対向して配置され、各遮へい袋２３２が膨張しながら回転して移動すると、開閉蓋２３３と遮熱板２３４が押し出されて水平な遮へい位置に移動する。つまり、外周遮へい壁１０２は、複数の水平に配置された遮熱板２３４により上方が閉塞され、この遮熱板２３４の上方に複数の水平な開閉蓋２３３が敷設されることとなる。そして、複数の遮へい袋２３２は、内部に水が充填されたままで、この複数の開閉蓋２３３上の遮へい位置（図６及び図７に二点鎖線で表す位置）に移動することとなり、外周遮へい壁１０２の上方を隙間なく遮へいすることができる。
【０１１１】
そのため、シビアアクシデントが発生したとき、非常電源設備を用いて遮へい装置２０１における上部遮へい装置２０３を作動する。即ち、図６及び図７に示すように、開閉弁１２７を開放して給水ポンプ１２６を作動し、集合給水管１２４及び各給水管１２３から遮へい部材２１１を構成する複数の遮へい袋２３２に給水する。すると、各遮へい袋２３２は、内部に水が充填されることで、開閉蓋２３３と遮熱板２３４を押し出しながら、遮へい位置に移動する。このとき、遮へい位置に移動した各遮へい袋２３２は、各開閉蓋２３３により支持されることで、外周遮へい壁１０２の上方を適正に遮へいすることができる。各遮熱板２３４により外周遮へい壁１０２の上方で、且つ、各遮へい袋２３２の下方を適正に遮へいすることができる。その結果、上部遮へい装置２０３は、外周遮へい壁１０２の上方の一面に水を保持することができることから、原子炉格納容器からの放射線を減衰し、外部漏洩を防止できる。また、各遮熱板２３４により外周遮へい壁１０２の上方からの放熱を防止でき、遮へい部材２１１を保護できる。
【０１１２】
このように実施例２の原子力設備の遮へい装置にあっては、遮へい部材２１１を複数の遮へいユニット２２１により構成し、第１水平方向Ｘに沿って隙間なく複数並設し、第２水平方向Ｙに沿って所定間隔で複数並設している。従って、遮へい部材２１１を複数の遮へいユニット２２１に分割することで、遮へい部材１１１の小型化を可能とすることができると共に、必要時に個別に遮へいユニット２２１を遮へい位置に移動することができ、遮へい機能を早期に確保することができる。
【０１１３】
実施例２の原子力設備の遮へい装置では、支持部材としての開閉蓋２３３を原子炉格納容器１１の上方を開放する格納位置と上方を遮へいする遮へい位置とに移動可能としている。従って、開閉蓋２３３の格納位置では、外周遮へい壁１０２の上方に十分な開口を確保することができ、開閉蓋２３３の遮へい位置では、遮へい袋２３２を適正に支持して外周遮へい壁１０２の上方を適正に遮へいすることができる。
【０１１４】
実施例２の原子力設備の遮へい装置では、遮へい袋２３２の遮へい位置への移動動作により開閉蓋２３３を格納位置から遮へい位置に移動している。従って、遮へい袋２３２を遮へい位置に移動すると、開閉蓋２３３が押し出されて格納位置から遮へい位置に移動することとなり、開閉蓋２３３の移動機構を不要として構造の簡素化を可能とすることができる。
【実施例３】
【０１１５】
図１０は、実施例３の原子力設備の遮へい装置を表す概略平面図、図１１は、遮へいユニットの格納状態を表す斜視図、図１２は、遮へいユニットによる遮へい状態を表す斜視図である。なお、上述した実施例と同様の機能を有する部材には、同一の符号を付して詳細な説明は省略する。
【０１１６】
実施例３において、図１０に示すように、原子炉設備の遮へい装置３０１は、原子炉格納容器の外周側に設置される外周遮へい壁１０２と、原子炉格納容器の上方を遮へい可能に外周遮へい壁１０２の上部に配置される上部遮へい装置３０３とから構成されている。上部遮へい装置３０３は、原子炉格納容器の上方を開放する格納位置と原子炉格納容器の上方を遮へいする遮へい位置とに移動可能な遮へい部材３１１と、この遮へい部材３１１の内部に放射線遮へい流体としての水を供給可能な給水装置１１２とを有している。
【０１１７】
上部遮へい装置３０３において、遮へい部材３１１は、箱型形状をなす複数の遮へいユニット３２１から構成されている。外周遮へい壁１０２は、上端部に複数の遮へいユニット３２１が第１水平方向Ｘ及び第２水平方向Ｙに沿ってほぼ隙間なく並設されている。
【０１１８】
この各遮へいユニット３２１は、図１１及び図１２に示すように、ハウジング３３１と、遮へい袋３３２とから構成されている。ハウジング３３１は、支持部材としての支持板３３３と四方の側面部３３４を有し、上方が開口している。そして、支持板３３３は、多数の開口が形成されている。遮へい袋３３２は、実施例１で説明した遮へい袋１２１とほぼ同様の構成であり、蛇腹形状に折りたたまれている。
【０１１９】
この複数の遮へいユニット３２１は、図１０に示すように、外周遮へい壁１０２を閉塞するように隙間なく配設され、隣接するもの同士が連結されている。この場合、外周遮へい壁１０２の上部に複数の縦梁と複数の横梁を格子形状に組み合わせた梁を形成し、この梁の上に複数の遮へいユニット３２１を配設してもよい。そのため、複数のハウジング３３１における複数の支持板３３３により複数の遮へい袋３３２を支持することができ、複数の側面部３３４が外周遮へい壁１０２の上方の領域を複数の区画領域に区画する格子形状の支持枠として機能し、各遮へい袋３３２がこの区画領域にそれぞれ配置されることとなる。
【０１２０】
各遮へいユニット３２１内に収容された遮へい袋３３２は、基端部に給水管１２３が連結され、各給水管１２３は、集合給水管１２４を介して給水タンク１２５に連結され、給水ポンプ１２６と開閉弁１２７が設けられている。
【０１２１】
遮へいユニット３２１は、図１１の格納位置にあるとき、遮へい袋３３２が蛇腹形状の格納状態でハウジング３３１内に収容されている。そして、遮へい袋３３２に水を送ると、遮へい袋３３２は、図１２に示すように、内部に水が充填されることで、膨張しながら移動する。そのため、遮へい袋３３２は、ハウジング３３１の各側面部３３４に密着するように隙間なく膨張し、遮へい位置に移動することができる。
【０１２２】
即ち、図１０に示すように、複数の遮へいユニット３２１は、外周遮へい壁１０２の上方に隙間なく配置され、各遮へい袋３３２が蛇腹形状に折畳まれて格納位置となっており、各遮へい袋３３２が膨張すると、ハウジング３３１内に広がり、遮へい位置に移動する。複数の遮へい袋３３２は、内部に水が充填されたままで、各支持板３３３上の遮へい位置に移動することとなり、外周遮へい壁１０２の上方を隙間なく遮へいすることができる。
【０１２３】
そのため、シビアアクシデントが発生したとき、非常電源設備を用いて遮へい装置３０１における上部遮へい装置３０３を作動する。即ち、開閉弁１２７を開放して給水ポンプ１２６を作動し、集合給水管１２４及び各給水管１２３から遮へい部材３１１を構成する複数の遮へい袋３３２に給水する。すると、各遮へい袋３３２は、内部に水が充填されることで膨張し、遮へい位置に移動する。その結果、上部遮へい装置３０３は、外周遮へい壁１０２の上方の一面に水を保持することができることから、原子炉格納容器からの放射線を減衰し、外部漏洩を防止できる。
【０１２４】
このように実施例３の原子力設備の遮へい装置にあっては、遮へい部材３１１を複数の遮へいユニット３２１により構成し、第１水平方向Ｘに沿って隙間なく複数並設し、第２水平方向Ｙに沿って所定間隔で複数並設している。従って、遮へい部材３１１の小型化を可能とすることができると共に、必要時に個別に遮へいユニット３２１を遮へい位置に移動することができ、遮へい機能を早期に確保することができる。
【０１２５】
実施例３の原子力設備の遮へい装置では、各遮へいユニット３２１におけるハウジング３３１の支持板３３３を支持部材とし、四方の側面部３３４を格子形状の支持枠として上方の領域を複数の区画領域に区画し、遮へい袋３３２を各区画領域にそれぞれ配置している。複数の遮へい袋３３２を容易に配置することができる。
【実施例４】
【０１２６】
図１３は、実施例４の原子力設備の遮へい装置を表す概略正面図、図１４は、遮へい装置における換気装置を表す概略図である。なお、上述した実施例と同様の機能を有する部材には、同一の符号を付して詳細な説明は省略する。
【０１２７】
実施例４において、図１３に示すように、原子炉設備の遮へい装置４０１は、原子炉格納容器の外周側に設置される外周遮へい壁１０２と、原子炉格納容器の上方を遮へい可能に外周遮へい壁１０２の上部に配置される上部遮へい装置４０３とから構成されている。上部遮へい装置４０３は、原子炉格納容器の上方を開放する格納位置と原子炉格納容器の上方を遮へいする遮へい位置とに移動可能な遮へい部材４１１と、この遮へい部材４１１の内部に放射線遮へい流体としての水を供給可能な給水装置１１２とを有している。
【０１２８】
上部遮へい装置４０３において、遮へい部材４１１は、複数の遮へい袋４２１から構成されている。この遮へい袋４２１は、実施例１で説明した遮へい袋１２１とほぼ同様の構成であり、水平方向に沿って所定間隔をあけて配置されている。即ち、外周遮へい壁１０２は、上端部に複数の縦梁と複数の横梁を格子形状に組み合わせた支持梁４２２が設けられ、複数の遮へい袋４２１は、この支持梁４２２に所定間隔をあけて吊下げ支持されている。また、外周遮へい壁１０２は、支持梁４２２の下方に所定間隔をあけて複数の縦梁と複数の横梁を格子形状に組み合わせた支持部材４２３が設けられている。
【０１２９】
各遮へい袋４２１は、基端部に給水管１２３が連結され、各給水管１２３は、集合給水管１２４を介して給水タンク１２５に連結され、給水ポンプ１２６と開閉弁１２７が設けられている。
【０１３０】
遮へい部材４１１は、格納位置にあるとき、複数の遮へい袋４２１が水平方向に所定間隔で隙間をあけて配置されている。そして、遮へい袋４２１に水を送ると、各遮へい袋４２１は、図１３に二点鎖線で示すように、内部に水が充填されることで膨張する。そのため、各遮へい袋４２１は、隣接するもの同士が隙間なく密着し、遮へい位置に移動することができ、内部に水が充填されたままで外周遮へい壁１０２の上方を隙間なく遮へいすることができる。
【０１３１】
また、図１４に示すように、上部遮へい装置４０３は、複数の遮へい袋４２１の間に換気通路４３１が設けられている。そのため、即ち、２つの遮へい袋４２１の間に円筒部材４３２が配置され、この円筒部材４３２は、上端部が支持梁４２２に固定され、端部が支持部材４３３に固定されている。そのため、遮へい袋４２１が内部に給水されて膨張しても、円筒部材４３２の内部に換気通路４３１が確保することができる。
【０１３２】
そのため、図１３及び図１４に示すように、シビアアクシデントが発生したとき、非常電源設備を用いて遮へい装置４０１における上部遮へい装置４０３を作動する。即ち、開閉弁１２７を開放して給水ポンプ１２６を作動し、集合給水管１２４及び各給水管１２３から遮へい部材４１１を構成する複数の遮へい袋４２１に給水する。すると、各遮へい袋４２１は、内部に水が充填されることで膨張し、隣接するもの同士が密着する。その結果、上部遮へい装置４０３は、外周遮へい壁１０２の上方の一面に水を保持することができることから、原子炉格納容器からの放射線を減衰し、外部漏洩を防止できる。また、このとき、上部遮へい装置４０３により遮へいされた下方空間の温度が上昇すると、内部の高温空気が換気通路４３１を通して外部に流れることとなり、遮へい空間の温度上昇を抑制することができる。
【０１３３】
上述した実施例では、遮へい部材４１１を構成する複数の遮へい袋４２１を水平方向に沿って所定間隔をあけて配置したが、この構成に限定されるものではない。図１５は、実施例４の変形例の原子力設備の遮へい装置を表す概略正面図である。
【０１３４】
図１５に示すように、原子炉設備の遮へい装置４６１は、外周遮へい壁１０２と上部遮へい装置４６３とから構成されている。上部遮へい装置４６３は、遮へい部材４７１と給水装置１１２とを有している。
【０１３５】
上部遮へい装置４６３において、遮へい部材４７１は、複数の遮へい袋４８１から構成されている。この遮へい袋４８１は、水平方向及び鉛直方向に沿って所定間隔をあけて配置されている。即ち、外周遮へい壁１０２は、上端部に支持梁４８２が設けられ、複数の遮へい袋４８１がこの支持梁４８２に所定間隔をあけて吊下げ支持されている。また、外周遮へい壁１０２は、支持梁４８２の下方に所定間隔をあけて第１支持部材４８３が設けられると共に、第１支持部材４８３の下方に所定間隔をあけて第２支持部材４８４が設けられ、複数の遮へい袋４８１がこの第１支持部材４８３に所定間隔をあけて吊下げ支持されている。この場合、支持梁４８２に支持された遮へい袋４８１と、第２支持部材４８４に支持された遮へい袋４８１は、隣接するもの同士が鉛直方向にずれて配置されている。
【０１３６】
遮へい部材４７１は、格納位置にあるとき、複数の遮へい袋４８１が水平方向及び鉛直方向に所定間隔で隙間をあけて配置されている。そして、遮へい袋４８１に水を送ると、各遮へい袋４８１は、図１５に二点鎖線で示すように、内部に水が充填されることで膨張する。そのため、各遮へい袋４８１は、隣接するもの同士の隙間が減少し、遮へい位置に移動することができ、内部に水が充填されたままで外周遮へい壁１０２の上方を遮へいすることができる。
【０１３７】
そのため、シビアアクシデントが発生したとき、非常電源設備を用いて遮へい装置４６１における上部遮へい装置４６３を作動する。即ち、開閉弁１２７を開放して給水ポンプ１２６を作動し、集合給水管１２４及び各給水管１２３から遮へい部材４１１を構成する複数の遮へい袋４８１に給水する。すると、各遮へい袋４８１は、内部に水が充填されることで膨張し、隣接するもの同士の隙間が減少する。その結果、上部遮へい装置４６３は、外周遮へい壁１０２の上方の一面に水を保持することができることから、原子炉格納容器からの放射線を減衰し、外部漏洩を防止できる。また、複数の遮へい袋４８１は、隣接するもの同士の間に隙間が確保されていることから、上部遮へい装置４６３により遮へいされた下方空間の温度が上昇すると、内部の高温空気がこの隙間を通して外部に流れることとなり、遮へい空間の温度上昇を抑制することができる。
【０１３８】
即ち、複数の遮へい袋４８１は、隣接するもの同士の間に隙間が確保されているものの、下方に遮へい空間から見ると、上下の各遮へい袋４８１が重なって見える。遮へい空間からの放射線は、直線的に指向することから、この各遮へい袋４８１により外部への漏洩が阻止される。
【０１３９】
なお、上述した実施例４では、膨張していない遮へい袋４２１，４８１を棒形状とし、膨張した遮へい袋４２１，４８１を球形状としたが、この形状に限定されるものではない。例えば、膨張していない遮へい袋をロール形状や蛇腹形状としてもよい。また、図１６から図１８は、実施例４の変形例の原子力設備の遮へい装置を表す概略平面図である。図１６に示すように、膨張した遮へい袋４９１を複数ドーム状に密着させて遮へい部材４９２としたり、図１７に示すように、膨張した遮へい袋４９３を周方向にずらして複数ドーム状に密着させて遮へい部材４９４としたり、図１８に示すように、膨張した遮へい袋４９５を三角体として複数ジオデシックドーム状に密着させて遮へい部材４９６としたりしてもよい。
【０１４０】
実施例４の原子力設備の遮へい装置にあっては、遮へい部材４１１を複数の遮へい袋４２１により構成し、水平方向に所定間隔をあけて配置している。従って、遮へい部材４１１を複数の遮へい袋４２１に分割することで、必要時に個別に遮へい部材を遮へい位置に移動することができ、遮へい機能を早期に確保することができる。
【０１４１】
実施例４の原子力設備の遮へい装置では、複数の遮へい袋４２１を水平方向に複数配置し、各遮へい袋４２１の間に換気通路４３１を設けている。従って、遮へい部材４１１により遮へいされた空間部内の高温化を抑制し、遮へい部材４２１の高温化を抑制して耐久性を向上することができる。
【０１４２】
実施例４の原子力設備の遮へい装置では、隣接する遮へい袋４８１同士を鉛直方向にずらして配置している。従って、鉛直方向にずれた複数の遮へい袋４８１により直進する放射線を適正に遮へいすることができると共に、遮へい袋４８１同士の間に隙間を確保して換気機能を確保することができる。
【実施例５】
【０１４３】
図１９は、実施例５の原子力設備の遮へい装置を表す概略平面図である。なお、上述した実施例と同様の機能を有する部材には、同一の符号を付して詳細な説明は省略する。
【０１４４】
実施例５において、図１９に示すように、上部遮へい装置５０３は、原子炉格納容器の上方を開放する格納位置と原子炉格納容器の上方を遮へいする遮へい位置とに移動可能な遮へい部材５１１と、この遮へい部材５１１の内部に放射線遮へい流体としての水を供給可能な給水装置１１２とを有している。
【０１４５】
上部遮へい装置５０３において、遮へい部材５１１は、複数の遮へい袋５２１から構成されている。遮へい袋５２１は、実施例１で説明した遮へい袋１２１とほぼ同様の構成であり、先端部が中心部で基端部が外周部に位置するように縦巻きに巻き取られたロール形状をなしている。
【０１４６】
外周遮へい壁（図示略）は、上端部に水平またはドーム形状をなす支持板（支持部材）５２２が固定され、この支持板５２２上に外径の相違する３つの支持リング５２３が固定されると共に、仕切壁５２４，５２５が固定されている。支持板５２２は、複数の格子梁や多孔板により形成され、支持リング５２３及び仕切壁５２４，５２５により複数の領域が区画される。そして、支持リング５２３及び仕切壁５２４，５２５により区画された複数の領域の端部に遮へい袋５２１がそれぞれ配置されている。
【０１４７】
各遮へい袋５２１は、集合給水管１２４を介して給水タンク１２５に連結され、給水ポンプ１２６と開閉弁１２７が設けられている。
【０１４８】
遮へい部材５１１は、各遮へい袋５２１が巻き取られたロール形状で格納位置に配置されている。そして、各遮へい袋５２１に水を送ると、各遮へい袋５２１は、内部に水が充填されることで、膨張しながら回転して先端部が前方に移動する。そのため、遮へい袋５２１は、支持リング５２３及び仕切壁５２４，５２５により区画された複数の領域内で膨張して周囲に密着する。即ち、複数の遮へい袋５２１は、内部に水が充填されたままで、支持板５２２上の遮へい位置に移動することとなり、外周遮へい壁の上方を隙間なく遮へいすることができる。
【０１４９】
そのため、シビアアクシデントが発生したとき、非常電源設備を用いて上部遮へい装置５０３を作動する。即ち、開閉弁１２７を開放して給水ポンプ１２６を作動し、集合給水管１２４から遮へい部材５１１を構成する複数の遮へい袋５２１に給水する。すると、各遮へい袋５２１は、内部に水が充填されることで、遮へい位置に移動する。このとき、遮へい位置に移動した各遮へい袋５２１は、支持板５２２上に支持されることで、外周遮へい壁の上方を適正に遮へいすることができる。その結果、上部遮へい装置５０３は、外周遮へい壁の上方の一面に水を保持することができることから、原子炉格納容器からの放射線を減衰し、外部漏洩を防止できる。
【０１５０】
図２０は、実施例５の変形例の原子力設備の遮へい装置を表す概略平面図である。図２０に示すように、上部遮へい装置５６３は、原子炉格納容器の上方を開放する格納位置と原子炉格納容器の上方を遮へいする遮へい位置とに移動可能な遮へい部材５７１と、この遮へい部材５７１の内部に放射線遮へい流体としての水を供給可能な給水装置１１２とを有している。
【０１５１】
上部遮へい装置５６３において、遮へい部材５７１は、複数の遮へい袋５８１から構成されている。遮へい袋５８１は、実施例１で説明した遮へい袋１２１とほぼ同様の構成である。外周遮へい壁（図示略）は、上端部に水平またはドーム形状をなす支持板（支持部材）５８２が固定され、この支持板５８２上に外径の相違する２つの支持リング５８３が固定されている。支持板５８２は、複数の格子梁や多孔板により形成され、支持リング５８３により複数の領域が区画される。そして、支持リング５８３及び仕切壁５８４により区画された複数の領域に遮へい袋５８１がそれぞれ配置されている。この場合、遮へい袋５８１は、各支持リング５８３の内周面に沿って折畳まれて格納されている。
【０１５２】
各遮へい袋５８１は、集合給水管１２４を介して給水タンク１２５に連結され、給水ポンプ１２６と開閉弁１２７が設けられている。
【０１５３】
遮へい部材５７１は、各遮へい袋５８１が蛇腹形状で格納位置に配置されている。そして、各遮へい袋５８１に水を送ると、各遮へい袋５８１は、内部に水が充填されることで、膨張しながら支持板５８２の径方向における中心側に膨張しながら移動する。そのため、遮へい袋５８１は、支持リング５８３により区画された複数の領域内で膨張して周囲に密着する。即ち、複数の遮へい袋５８１は、内部に水が充填されたままで、支持板５８２上の遮へい位置に移動することとなり、外周遮へい壁の上方を隙間なく遮へいすることができる。
【０１５４】
そのため、シビアアクシデントが発生したとき、非常電源設備を用いて上部遮へい装置５０３を作動する。即ち、開閉弁１２７を開放して給水ポンプ１２６を作動し、集合給水管１２４から遮へい部材５７１を構成する複数の遮へい袋５８１に給水する。すると、各遮へい袋５８１は、内部に水が充填されることで、遮へい位置に移動する。このとき、遮へい位置に移動した各遮へい袋５８１は、支持板５８２上に支持されることで、外周遮へい壁の上方を適正に遮へいすることができる。その結果、上部遮へい装置５６３は、外周遮へい壁の上方の一面に水を保持することができることから、原子炉格納容器からの放射線を減衰し、外部漏洩を防止できる。
【０１５５】
このように実施例５の原子力設備の遮へい装置にあっては、原子炉格納容器１１の上方を開放する格納位置と原子炉格納容器１１の上方を遮へいする遮へい位置とに移動可能な遮へい部材５１１，５７１を設け、遮へい部材５１１，５７１を複数の遮へい袋５２１，５８１により構成している。
【０１５６】
従って、不使用時に、遮へい袋５２１，５８１を原子炉格納容器１１の上方を開放する格納位置とし、使用時に、遮へい袋５２１，５８１を原子炉格納容器１１の上方を遮へいする遮へい位置に移動し、内部に水を充満させている。その結果、構造の簡素化及び軽量化を図ることができると共に、必要時に早期に遮へい機能を確保することができる。
【実施例６】
【０１５７】
図２１は、実施例６の原子力設備の遮へい装置を表す概略斜視図、図２２は、実施例６の遮へい装置を表す概略平面図である。なお、上述した実施例と同様の機能を有する部材には、同一の符号を付して詳細な説明は省略する。
【０１５８】
実施例６において、図２１及び図２２に示すように、原子炉設備の遮へい装置６０１は、１０２と上部遮へい装置６０３とから構成されている。上部遮へい装置６０３は、原子炉格納容器の上方を開放する格納位置と原子炉格納容器の上方を遮へいする遮へい位置とに移動可能な遮へい部材６１１と、この遮へい部材６１１の内部に放射線遮へい流体としての水を供給可能な給水装置１１２とを有している。
【０１５９】
上部遮へい装置６０３において、遮へい部材６１１は、複数の遮へい袋６２１から構成されている。遮へい袋６２１は、実施例１で説明した遮へい袋１２１とほぼ同様の構成であり、先端部が中心部で基端部が外周部に位置するように縦巻きに巻き取られたロール形状をなしている。この場合、遮へい袋６２１は、内部に長手方向に所定間隔で仕切部材６２１ａが設けられると共に、各仕切部材６２１ａに流通穴６２１ｂが形成されている。
【０１６０】
外周遮へい壁１０２は、上端部にかまぼこ形状をなす支持板（支持部材）６２２が固定され、この支持板６２２上に一対のガイド板６２３が固定されると共に、一対のガイド板６２３を連結するように頂上部に仕切壁６２４が固定されている。支持板６２２は、複数の格子梁や多孔板により形成される。そして、仕切壁６２４に遮へい袋６２１がそれぞれ配置されている。
【０１６１】
各遮へい袋６２１は、集合給水管１２４を介して給水タンク１２５に連結され、給水ポンプ１２６と開閉弁１２７が設けられている。
【０１６２】
遮へい部材６１１は、各遮へい袋６２１が巻き取られたロール形状で格納位置に配置されている。そして、各遮へい袋６２１に水を送ると、各遮へい袋６２１は、内部に水が充填されることで、膨張しながら回転して先端部が前方に移動する。そのため、複数の遮へい袋６２１は、内部に水が充填されたままで、支持板６２２上の遮へい位置に移動することとなり、外周遮へい壁１０２の上方を隙間なく遮へいすることができる。
【０１６３】
このとき、遮へい袋６２１は、内部に水が供給されると、水は、各仕切部材６２１ａの流通穴６２１ｂを通して先端部側に流れ、自重により展開して支持板６２２上の遮へい位置に移動する。そして、遮へい袋６２１は、内部に仕切部材６２１ａが設けられることで、内部の水が先端側に集まることなく、長手方向でほぼ同様な厚さに保持される。
【０１６４】
そのため、シビアアクシデントが発生したとき、非常電源設備を用いて上部遮へい装置６０３を作動する。即ち、開閉弁１２７を開放して給水ポンプ１２６を作動し、集合給水管１２４から遮へい部材６１１を構成する複数の遮へい袋６２１に給水する。すると、各遮へい袋６２１は、内部に水が充填されることで、遮へい位置に移動する。このとき、遮へい位置に移動した各遮へい袋６２１は、支持板６２２上に支持されることで、外周遮へい壁１０２の上方を適正に遮へいすることができる。その結果、上部遮へい装置６０３は、外周遮へい壁１０２の上方の一面に水を保持することができることから、原子炉格納容器からの放射線を減衰し、外部漏洩を防止できる。この場合、遮へい袋６２１は、内部に水が供給されると、自重により展開して遮へい位置に移動することができ、且つ、内部の仕切部材６２１ａにより長手方向でほぼ同様な厚さに保持されるため、原子炉格納容器からの放射線を適正に減衰することができる。
【０１６５】
このように実施例６の原子力設備の遮へい装置にあっては、原子炉格納容器１１の上方を開放する格納位置と原子炉格納容器１１の上方を遮へいする遮へい位置とに移動可能な遮へい部材６１１を設け、遮へい部材６１１を複数の遮へい袋６２１により構成している。
【０１６６】
従って、不使用時に、遮へい袋６２１を原子炉格納容器１１の上方を開放する格納位置とし、使用時に、遮へい袋６２１を原子炉格納容器１１の上方を遮へいする遮へい位置に移動し、内部に水を充満させている。その結果、構造の簡素化及び軽量化を図ることができると共に、必要時に早期に遮へい機能を確保することができる。
【実施例７】
【０１６７】
図２３は、実施例７の原子力設備の遮へい装置を表す概略平面図、図２４は、実施例７の原子力設備の遮へい装置を表す概略正面図、図２５は、遮へい部材の起立状態を表す正面図、図２６は、遮へい部材の転倒状態を表す正面図、図２７は、遮へい部材の遮へい状態を表す正面図である。なお、上述した実施例と同様の機能を有する部材には、同一の符号を付して詳細な説明は省略する。
【０１６８】
実施例７において、図２３及び図２４に示すように、原子炉設備の遮へい装置７０１は、原子炉格納容器の外周側に設置される外周遮へい壁１０２と、原子炉格納容器の上方を遮へい可能に外周遮へい壁１０２の上部に配置される上部遮へい装置７０３とから構成されている。上部遮へい装置７０３は、原子炉格納容器の上方を開放する格納位置と原子炉格納容器の上方を遮へいする遮へい位置とに移動可能な遮へい部材７１１と、この遮へい部材７１１の内部に放射線遮へい流体としての水を供給可能な給水装置１１２とを有している。
【０１６９】
上部遮へい装置７０３において、遮へい部材７１１は、起倒機能を有する複数の遮へいユニット７２１から構成されている。外周遮へい壁１０２は、上端部に支持板（支持部材）７２２が固定され、支持板７２２の上面部に複数の遮へいユニット７２１が第１水平方向Ｘに沿ってほぼ隙間なく並設されると共に、第１水平方向Ｘに交差する第２水平方向Ｙに沿って所定間隔で複数並設されている。
【０１７０】
支持板７２２は、格子形状または多孔板形状をなし、下面が外周遮へい壁１０２の上端部に固定されている。この支持板７２２は、上面部に複数の遮へいユニット７２１が所定の位置に配置されている。具体的に、遮へいユニット７２１は、第１水平方向Ｘに沿って外周遮へい壁１０２の外径に応じた個数が隙間なく並設された列を成し、この列が第２水平方向Ｙに沿って所定間隔で複数並設されている。この場合、遮へいユニット７２１の列は、背中合わせで前面部が対向するように配置されている。そして、遮へいユニット７２１の背面側に第１水平方向Ｘに沿って配水管７２３が配置されると共に、遮へいユニット７２１の前面側に第１水平方向Ｘに沿って支持枠７２４が配置されている。
【０１７１】
この各遮へいユニット７２１において、図２５に示すように、支持板７２２上に支持台７３１が固定されている。遮へい袋７３２は、支持プレート７３３上に外周壁７３４を有する袋本体７３５が固定されて構成され、下面に補強用リブ７３６が固定されて構成されている。そして、この遮へい袋７３２は、供給管７３７が基端部から内部まで浸入するように装着されると共に、基端部に排出管７３８が装着されている。遮へい袋７３２は、支持プレート７３３の下面に固定されたブラケット７３９が支持台７３１の先端部に支持軸７４０により回動自在に支持されている。この場合、支持軸７４０により遮へい袋７３２の支持位置は、基端部側にずれている。なお、遮へい袋７３２は、実施例１で説明した遮へい袋１２１とほぼ同様の構成であり、外周壁７３４が内側に倒れて袋本体７３５が折畳まれたものとなっている。そして、配水管７２３と供給管７３７の基端部が連結ホース７４１により連結されている。
【０１７２】
各遮へいユニット７２１の遮へい袋７３２は、図２３に示すように、基端部に集合給水管１２４を介して給水タンク１２５に連結され、給水ポンプ１２６と開閉弁１２７が設けられている。
【０１７３】
遮へい部材７１１を構成する各遮へいユニット７２１の遮へい袋７３２は、格納位置にあるとき、起立状態にあり、起倒可能に支持されている。そして、この遮へい袋７３２は、内部への水の供給により格納位置から前方に転倒する遮へい位置に移動可能となっている。
【０１７４】
即ち、図２５に示すように、遮へい袋７３２は、格納位置で、基端部側が下方に位置し、先端部側が上方に位置するように起立状態にある。そして、この遮へい袋７３２は、内部への水の供給により格納位置から前方に転倒する遮へい位置に移動可能となっている。
【０１７５】
即ち、遮へい袋７３２は、格納位置で、配水管７２３の水が連結ホース７４１を介して供給管７３７から袋本体７３５に供給されると、その水の供給圧により、図２６に示すように、支持軸７４０を支点として回動して転倒する。遮へい袋７３２は、回動すると、長手方向の重量バランスにより支持プレート７３３の先端部が支持枠７２４に当接することで水平な位置に支持され、この状態で供給管７３７から袋本体７３５に水が供給されると、外周壁７３４が起き上がりながら袋本体７３５が膨張する。そして、袋本体７３５に水が充満すると、図２７に示すように、遮へい袋７３２が遮へい位置で完全に膨張し、不要な水が排出管７３８から排出される。複数の遮へい袋７３２は、内部に水が充填されたままで、支持板７２２上の遮へい位置（図２３及び図２４に二点鎖線で表す位置）に移動することとなり、外周遮へい壁１０２の上方を隙間なく遮へいすることができる。
【０１７６】
なお、遮へい袋７３２を回動した遮へい位置に付勢しておき、遮へい袋７３２を起立した格納位置に保持するストッパを設け、水圧などによりそのストッパを解除してから前方に回動して遮へい位置に移動するようにしてもよい。
【０１７７】
そのため、シビアアクシデントが発生したとき、非常電源設備を用いて遮へい装置７０１における上部遮へい装置７０３を作動する。即ち、図２３及び図２４に示すように、開閉弁１２７を開放して給水ポンプ１２６を作動し、集合給水管１２４から遮へい部材７１１を構成する複数の遮へいユニット７２１の各遮へい袋７３２に給水する。すると、各遮へい袋７３２は、内部に水が供給されることで、起立した格納位置から回動し、水平に転倒した遮へい位置に移動する。そして、各遮へい袋７３２は、給水が継続されることで膨張し、周囲のもの同士が接近して外周遮へい壁１０２の上方を適正に遮へいすることができる。その結果、上部遮へい装置７０３は、外周遮へい壁１０２の上方の一面に水を保持することができることから、原子炉格納容器からの放射線を減衰し、外部漏洩を防止できる。
【０１７８】
このように実施例７の原子力設備の遮へい装置にあっては、遮へい部材７１１を複数の遮へい袋７３２により構成し、各遮へい袋７３２を起倒可能に支持している。
【０１７９】
従って、遮へい袋７３２を起倒可能に支持し、格納位置で起立させ、遮へい位置で転倒させることで、簡単な構成で、早期に遮へい機能を確保することができる。
【０１８０】
実施例７の原子力設備の遮へい装置では、内部への水の供給により遮へい袋７３２を格納位置から遮へい位置に移動可能としている。従って、遮へい袋７３２の内部へ水を供給することで、遮へい袋７３２を回動して格納位置から遮へい位置に移動することができ、遮へい袋７３２を移動させるための機構を不要として構造の簡素化を可能とすることができる。
【実施例８】
【０１８１】
図２８は、実施例８の原子力設備の遮へい装置を表す概略平面図、図２９は、実施例８の原子力設備の遮へい装置を表す概略正面図、図３０は、遮へい部材の起立状態を表す正面図、図３１は、遮へい部材の転倒状態を表す正面図、図３２は、遮へい部材の起立状態を表す斜視図、図３３は、遮へい部材の転倒状態を表す斜視図である。
【０１８２】
実施例８において、図２８及び図２９に示すように、原子炉設備の遮へい装置８０１は、原子炉格納容器の外周側に設置される外周遮へい壁１０２と、原子炉格納容器の上方を遮へい可能に外周遮へい壁１０２の上部に配置される上部遮へい装置８０３とから構成されている。上部遮へい装置８０３は、原子炉格納容器の上方を開放する格納位置と原子炉格納容器の上方を遮へいする遮へい位置とに移動可能な遮へい部材８１１と、この遮へい部材８１１の内部に放射線遮へい流体としての水を供給可能な給水装置１１２とを有している。
【０１８３】
上部遮へい装置８０３において、遮へい部材８１１は、起倒機能を有する複数の遮へいユニット８２１から構成されている。外周遮へい壁１０２は、上端部に支持板（支持部材）８２２が固定され、支持板８２２の上面部に複数の遮へいユニット８２１が第１水平方向Ｘに沿ってほぼ隙間なく並設されると共に、第１水平方向Ｘに交差する第２水平方向Ｙに沿って所定間隔で複数並設されている。
【０１８４】
支持板８２２は、格子形状または多孔板形状をなし、下面が外周遮へい壁１０２の上端部に固定されている。この支持板８２２は、上面部に複数の遮へいユニット８２１が所定の位置に配置されている。具体的に、遮へいユニット８２１は、第１水平方向Ｘに沿って外周遮へい壁１０２の外径に応じた個数が隙間なく並設された列を成し、この列が第２水平方向Ｙに沿って所定間隔で複数並設されている。この場合、遮へいユニット８２１の列は、背中合わせで前面部が対向するように配置されている。そして、遮へいユニット８２１の背面側に第１水平方向Ｘに沿って配水管８２３が配置されると共に、遮へいユニット８２１の前面側に第１水平方向Ｘに沿って支持枠８２４が配置されている。
【０１８５】
この各遮へいユニット８２１において、図３０及び図３２に示すように、支持板８２２上に支持台８３１が固定されている。遮へい桶８３２は、桶形状をなし、底面部と四方の側面部から構成され、上方が開口している。この遮へい桶８３２は、下面に固定されたブラケット８３３が支持台８３１の先端部に支持軸８３４により回動自在に支持されている。この場合、支持軸８３４により遮へい桶８３２の支持位置は、基端部側にずれている。そして、配水管８２３は、支持ポール８３５により所定の高さに支持され、水平方向で、且つ、遮へい桶８３２側を向く吐出ノズル８３６が取付けられている。
【０１８６】
各遮へいユニット８２１の遮へい桶８３２は、図２８に示すように、基端部に集合給水管１２４を介して給水タンク１２５に連結され、給水ポンプ１２６と開閉弁１２７が設けられている。
【０１８７】
遮へい部材８１１を構成する各遮へいユニット８２１の遮へい桶８３２は、格納位置にあるとき、起立状態にあり、起倒可能に支持されている。そして、この遮へい桶８３２は、内部への水の供給により格納位置から前方に転倒する遮へい位置に移動可能となっている。この場合、遮へい桶８３２は、水の供給圧により格納位置から遮へい位置に移動可能となっている。
【０１８８】
即ち、図３０及び図３２に示すように、遮へい桶８３２は、格納位置で、基端部側が下方に位置し、先端部側が上方に位置するように起立状態にある。そして、この遮へい桶８３２は、内部への水の供給により格納位置から前方に転倒する遮へい位置に移動可能となっている。この場合、遮へい桶８３２を起立した格納位置に保持するストッパを設け、水圧などによりそのストッパを解除してから前方に回動して遮へい位置に移動するようにしてもよい。
【０１８９】
即ち、遮へい桶８３２は、格納位置で、配水管８２３の水が吐出ノズル８３６から遮へい桶８３２の底面部に向けて供給されると、その水の供給圧により、図３１及び図３３に示すように、支持軸８３４を支点として回動して転倒する。遮へい桶８３２は、回動すると、長手方向の重量バランスにより先端部が支持枠８２４に当接することで水平な位置に支持され、この状態で、吐出ノズル８３６から内部に水が供給される。そして、遮へい桶８３２は、水の供給が継続されることで内部に水が充満する。複数の遮へい桶８３２は、内部に水が充填されたままで、支持板８２２上の遮へい位置（図２８及び図２９に二点鎖線で表す位置）に移動することとなり、外周遮へい壁１０２の上方を隙間なく遮へいすることができる。
【０１９０】
そのため、シビアアクシデントが発生したとき、非常電源設備を用いて遮へい装置８０１における上部遮へい装置８０３を作動する。即ち、図２８及び図２９に示すように、開閉弁１２７を開放して給水ポンプ１２６を作動し、集合給水管１２４から遮へい部材８１１を構成する複数の遮へいユニット８２１の各遮へい桶８３２に給水する。すると、各遮へい桶８３２は、内部に水が供給されることで、起立した格納位置から回動し、水平に転倒した遮へい位置に移動する。そして、各遮へい桶８３２は、給水が継続されることで満水となり、周囲のもの同士が接近して外周遮へい壁１０２の上方を適正に遮へいすることができる。その結果、上部遮へい装置８０３は、外周遮へい壁１０２の上方の一面に水を保持することができることから、原子炉格納容器からの放射線を減衰し、外部漏洩を防止できる。
【０１９１】
なお、この実施例８では、内部への水の供給圧により遮へい桶８３２を格納位置から回動して遮へい位置に移動可能としたが、この構成に限定されるものではない。例えば、遮へい桶の先端部側にケーブルを介してウエイト（錘）を連結し、遮へい桶の起立した格納位置で、このウエイトを台上に載置することで遮へい桶に重量を作用させず、吐出ノズル８３６からの水の噴流によりウエイトを台上から落下させることで遮へい桶に重量を作用させ、前方に回動して水平な遮へい位置に移動するようにしてもよい。
【０１９２】
また、遮へい桶８３２は、上述した構成のものに限定されるものではない。図３４は、実施例８の変形例の遮へい部材を表す斜視図、図３５は、遮へい部材の転倒状態を表す概略図、図３６は、遮へい部材の側壁の起立途中状態を表す概略図、図３７は、遮へい部材の遮へい状態を表す概略図である。
【０１９３】
図３４に示すように、遮へい桶８６１は、底部に対して外周部が折畳み可能であり、内部に水を供給することで外周部が起立可能となっている。即ち、遮へい桶８６１は、平坦な長方形の底部８７１と、この底部８７１の外周部にヒンジ８７２を介して回動自在に支持された外周部８７３と、外周部８７３に設けられる複数のフロート部８７４とを有している。この場合、各フロート部８７４を外周部８７３の周方向に沿って連続的に設けたが、断続的に設けてもよいものである。そして、遮へい桶８６１は、図３５に示すように、底部８７１が設置台８７５の上端部に支持軸８７６により回動自在に支持されている。なお、遮へい桶８６１は、下面部に遮熱部材８７７が固定されている。
【０１９４】
そのため、遮へい桶８６１は、起立した格納位置から支持軸８７６を支点として回動することで水平な遮へい位置に移動することができる。この状態で、内部に水が供給されると、図３６に示すように、内部に貯留される水の浮力により各フロート部８７４が上昇し、外周部８７３がヒンジ８７２を介して起き上がり始める。そして、図３７に示すように、遮へい桶８６１は、給水が継続されて内部の貯留量が増加すると、水の浮力により各フロート部８７４が更に上昇し、外周部８７３が完全に起立する。遮へい桶８６１は、内部に水が充填されたままで、外周遮へい壁の上方を隙間なく遮へいすることができる。
【０１９５】
このように実施例８の原子力設備の遮へい装置にあっては、遮へい部材８１１を複数の遮へい桶８３２により構成し、各遮へい桶８３２を起倒可能に支持することで格納位置と遮へい位置とを移動可能とし、転倒状態で内部に水を充填可能としている。
【０１９６】
従って、桶形状をなす遮へい桶８３２を起立させて格納位置とし、転倒させて遮へい位置に移動して内部に水を充填することとなり、必要時に早期に遮へい機能を確保することができる。
【０１９７】
実施例８の原子力設備の遮へい装置では、遮へい桶８３２を水の供給圧により格納位置から遮へい位置に移動可能としている。従って、遮へい桶８３２を移動させるための機構を不要として構造の簡素化を可能とすることができる。
【０１９８】
実施例８の原子力設備の遮へい装置では、遮へい桶８６１を底部８７１に対して外周部８７３を折畳み可能とし、外周部８７３の角部にフロート部８７４を設け、内部に水を供給することで外周部８７３を起立可能としている。従って、遮へい桶８６１を折畳み可能とすることで、格納位置での遮へい部材の小型化を可能とすることができ、内部に水を供給することで展開することができ、早期に遮へい機能を確保することができる。
【０１９９】
なお、上述した実施例では、外周遮へい壁１０２を円筒形状としたが、この形状に限るものではなく、四角筒形状などの多角筒形状などとしてもよい。
【０２００】
また、上述した実施例では、遮へい部材を複数の遮へい袋や遮へい桶としたが、その形状は、ロール形状や蛇腹形状に限定されるものではなく、格納位置に格納されれば、どのような形状に折畳まれていてもよい。また、遮へい部材を複数の遮へい袋や遮へい桶としたが、その分割数や分割方式は、各実施例に限定されるものではなく、例えば、一つの遮へい袋や遮へい桶としてもよい。
【０２０１】
また、上述した実施例では、本発明の建屋を加圧水型原子炉に適用して説明したが、沸騰水型原子炉（ＢＷＲ：Boiling Water Reactor）に適用することもでき、いずれの原子炉に適用してもよい。更に、上述した実施例では、原子炉設備を原子炉格納容器としたが、他の構造物であってもよい。
【符号の説明】
【０２０２】
１１  原子炉格納容器（原子炉設備）
１２  加圧水型原子炉
１０１，２０１，３０１，４０１，４６１，６０１，７０１，８０１  遮へい装置
１０２  外周遮へい壁
１０３，２０３，３０３，４０３，４６３，５０３，５６３，６０３，７０３，８０３  上部遮へい装置
１１１，２１１，３１１，４１１，４７１，５１１，５７１，６１１，７１１，８１１  遮へい部材
１１２  給水装置（放射線遮へい流体供給装置）
１２１，２３２，３３２，４２１，４８１，５２１，５８１，６２１，７３２  遮へい袋
１３１，４８３，４８４  支持部材
１５１  遮熱部材
１５２  遮熱袋
２２１，３２１，７２１，８２１  遮へいユニット
２３１，３３１  ハウジング
２３３  開閉蓋（支持部材）
２３４  遮熱板（遮熱部材）
３３３，４２３，５２２，５８２，６２２，７２２，８２２  支持板（支持部材）
４３１  換気通路
８３２，８６１  遮へい桶
【図１】
2015010953.tif 000003
【図２】
2015010953.tif 000004
【図３】
2015010953.tif 000005
【図４】
2015010953.tif 000006
【図５】
2015010953.tif 000007
【図６】
2015010953.tif 000008
【図７】
2015010953.tif 000009
【図８】
2015010953.tif 000010
【図９】
2015010953.tif 000011
【図１０】
2015010953.tif 000012
【図１１】
2015010953.tif 000013
【図１２】
2015010953.tif 000014
【図１３】
2015010953.tif 000015
【図１４】
2015010953.tif 000016
【図１５】
2015010953.tif 000017
【図１６】
2015010953.tif 000018
【図１７】
2015010953.tif 000019
【図１８】
2015010953.tif 000020
【図１９】
2015010953.tif 000021
【図２０】
2015010953.tif 000022
【図２１】
2015010953.tif 000023
【図２２】
2015010953.tif 000024
【図２３】
2015010953.tif 000025
【図２４】
2015010953.tif 000026
【図２５】
2015010953.tif 000027
【図２６】
2015010953.tif 000028
【図２７】
2015010953.tif 000029
【図２８】
2015010953.tif 000030
【図２９】
2015010953.tif 000031
【図３０】
2015010953.tif 000032
【図３１】
2015010953.tif 000033
【図３２】
2015010953.tif 000034
【図３３】
2015010953.tif 000035
【図３４】
2015010953.tif 000036
【図３５】
2015010953.tif 000037
【図３６】
2015010953.tif 000038
【図３７】
2015010953.tif 000039